(57)【要約】【課題】比較的小規模の回路構成で、ピクセル毎の表示優先順位比較が比較的高速に行える表示処理方法および表示装置を提供すること。【解決手段】表示画面を構成する複数系統のＲＧＢデータについてピクセル毎の表示優先順位比較を行うのにあたり、ＲＧＢデータの少なくとも１ビットを表示優先順位比較用に割り当てて、表示優先順位比較用ビットについて比較することを特徴とする表示処理方法およびその方法を用いた表示装置。【選択図】                    図１
2004271778.tif 000002
【特許請求の範囲】
【請求項１】
表示画面を構成する複数系統のＲＧＢデータについてピクセル毎の表示優先順位比較を行うのにあたり、
ＲＧＢデータの少なくとも１ビットを表示優先順位比較用に割り当てて、表示優先順位比較用ビットについて比較することを特徴とする表示処理方法。
【請求項２】
前記表示画面を構成する複数系統のＲＧＢデータは、波形データと波形データ以外のデータであることを特徴とする請求項１記載の表示処理方法。
【請求項３】
前記波形データは、複数チャネルであることを特徴とする請求項２記載の表示処理方法。
【請求項４】
前記波形データ以外のデータは、少なくともバックグラウンド、グリッド、テキスト、カーソルなどのいずれかであることを特徴とする請求項２または請求項３記載の表示処理方法。
【請求項５】
表示画面を構成する複数系統のＲＧＢデータについてピクセル毎の表示優先順位比較を行う表示処理回路の含む表示装置であって、
ＲＧＢデータの少なくとも１ビットを表示優先順位比較用に割り当てて、表示優先順位比較用ビットについて比較することを特徴とする表示装置。
【請求項６】
前記表示画面を構成する複数系統のＲＧＢデータは、波形データと波形データ以外のデータであることを特徴とする請求項５記載の表示装置。
【請求項７】
前記波形データは、複数チャネルであることを特徴とする請求項６記載の表示装置。
【請求項８】
前記波形データ以外のデータは、少なくともバックグラウンド、グリッド、テキスト、カーソルなどのいずれかであることを特徴とする請求項６または請求項７記載の表示装置。
【発明の詳細な説明】
【０００１】
【発明の属する技術分野】
本発明は、表示処理方法および表示装置に関し、詳しくは、波形データと波形データ以外のデータとを重ね合わせて表示する場合の表示処理方法およびその方法を用いた表示装置に関するものである。
【０００２】
【従来の技術】
一般に測定波形の表示にあたっては、波形データと波形データ以外のバックグラウンド、グリッド、カーソルなどのその他データとを重ね合わせて表示することが行われている。
【０００３】
図３はこのような従来の波形表示装置の概念構成の一例を示すブロック図であり、表示器としてカラーＬＣＤディスプレイを用いた例を示している。図３において、入力回路１は、設定に従ってアナログ入力信号の電圧振幅をＡ／Ｄ変換器２が安定してデジタル信号に変換できる適切な値に調整し、Ａ／Ｄ変換器２に出力する。
【０００４】
Ａ／Ｄ変換器２は、入力回路１を介して入力されたアナログ入力信号をデジタル信号に変換してデータ処理回路３に出力する。
【０００５】
データ処理回路３は、Ａ／Ｄ変換器２から入力されたデジタル信号に対してサンプリングやアベレージングなどの処理を施して処理結果を測定データとしてアクイジションメモリ４に書き込むとともに、アクイジションメモリ４から読み出した測定データを波形表示データに変換して表示処理回路５に出力する。
【０００６】
表示処理回路５には、データ処理回路３から波形データが入力されるとともに、グラフィックコントローラ６から波形データ以外のバックグラウンド、グリッドなどのデータも入力される。グラフィックコントローラ６の波形データ以外のデータは、例えばＲＧＢ各４ビットよりなる合計１６ビットのＲＧＢデータであり、全ビットが色指定ビットとして割り当てられていて、ＣＰＵ７から入力される。表示処理回路５は、これら波形データと波形データ以外のデータを重ね合わせてＲＧＢ信号を生成し、ＬＣＤドライバ８に出力する。
【０００７】
ＬＣＤドライバ８は、表示処理回路５から入力されたＲＧＢ信号に基づきカラーＬＣＤディスプレイ９を駆動する。これにより、カラーＬＣＤディスプレイ９には、波形データと波形データ以外の画像データとが重ね合わせた状態で表示される。
【０００８】
図４は、図３における表示処理回路５の動作説明図である。データ処理回路３から転送された波形データは、カラーＬＣＤディスプレイ９の表示分解能に応じたピクセル単位で表示色なしの波形データとして画像メモリ５１上にマッピングされる。この画像メモリ５１上にマッピングされた波形データは、波形順位判定部５３に入力される。なお、図４では単一チャネルの波形データ例を示しているが、実際の装置では例えば４チャネルなど複数の波形データが入力される。
【０００９】
波形順位判定部５３には、波形ＲＧＢデータ格納部５２から波形ＲＧＢデータも入力される。波形ＲＧＢデータ格納部５２には、例えば４ビット／１ピクセルで表される波形ＲＧＢデータが画像メモリ５１上にマッピングされている複数チャネルのそれぞれの波形データに割り当てるように格納されるとともに、同一ピクセルに複数チャネルの波形データが重なった場合のチャネル表示優先順位を指定するデータも格納されている。この波形ＲＧＢデータ格納部５２としては、内部レジスタを用いる。
【００１０】
波形順位判定部５３は、これら画像メモリ５１から入力される波形データと波形ＲＧＢデータ格納部５２から入力される波形ＲＧＢデータに基づき、同一ピクセルに複数チャネルの波形データが重なった場合の波形表示優先順位の判定を行い、その判定結果を表示画面合成処理部５４に入力する。
【００１１】
表示画面合成処理部５４には、前述のように、グラフィックコントローラ６から、バックグラウンド、グリッド、テキスト、カーソルなどの波形データ以外のデータ類が入力されている。
【００１２】
表示画面合成処理部５４は、波形順位判定部５３から入力される波形データとグラフィックコントローラ６から入力される波形データ以外のデータとを１ピクセル毎にそれぞれの表示優先順位を比較判断して表示画面を合成する。
具体的には、該当ピクセルに波形データがない（００００）場合にはグラフィックコントローラ６からのＲＧＢデータを優先させ、波形データがある場合はＲＧＢデータ格納部５２から入力される波形ＲＧＢデータとグラフィックコントローラ６から入力されるＲＧＢデータとの表示優先順位を比較判断する。これら表示優先順位比較は、各ピクセル毎に、深さ方向の全ビット（１６ビット）について行う。
【００１３】
【特許文献１】
特開平１０−２２２１５０
【００１４】
特許文献１には、複数の図形を重ねて表示するのにあたり、主役となる最手前側の図形の表示優先順位を最も高くして、欠落させることなく表示させる発明が開示されているが、本発明のようにピクセル毎に表示優先順位を比較することについては記載がない。
【００１５】
【発明が解決しようとする課題】
しかし、図４の構成では、表示処理回路５における表示優先順位比較を、各ピクセル毎に深さ方向の全ビットについて行うようにしているために、表示処理回路５をＡＳＩＣで実現した場合には波形データと波形データ以外のＲＧＢデータとの表示優先順位情報をレジスタに格納しなければならず、その分のゲート数を確保しておかなければならない。
【００１６】
また、表示画面合成時の表示優先順位比較にあたっては、グラフィックコントローラ６から入力される複数全ビットのＲＧＢデータについて比較する必要があることから、比較回路の規模が大きくなってしまうという問題もある。
【００１７】
本発明は、これらの問題点を解決するものであり、比較的小規模の回路構成で、ピクセル毎の表示優先順位比較が比較的高速に行える表示処理方法および表示装置を提供することを目的とする。
【００１８】
【課題を解決するための手段】
上記の目的を達成する請求項１の発明は、
表示画面を構成する複数系統のＲＧＢデータについてピクセル毎の表示優先順位比較を行うのにあたり、
ＲＧＢデータの少なくとも１ビットを表示優先順位比較用に割り当てて、表示優先順位比較用ビットについて比較することを特徴とする表示処理方法である。
【００１９】
表示優先順位情報を格納するレジスタが不要になるとともに表示優先順位比較に用いる比較ビットが少なくなり、表示優先順位比較処理に用いる回路規模を小さくできる。
【００２０】
請求項２の発明は、請求項１記載の表示処理方法において、
前記表示画面を構成する複数系統のＲＧＢデータは、波形データと波形データ以外のデータであることを特徴とする。
【００２１】
請求項３の発明は、請求項２記載の表示処理方法において、
前記波形データは、複数チャネルであることを特徴とする。
【００２２】
請求項４の発明は、請求項２または請求項３記載の表示処理方法において、
前記波形データ以外のデータは、少なくともバックグラウンド、グリッド、テキスト、カーソルなどのいずれかであることを特徴とする。
【００２３】
これらにより、所望の測定チャネルのアナログ入力信号波形を優先的に表示させるための表示処理が行える。
【００２４】
請求項５の発明は、
表示画面を構成する複数系統のＲＧＢデータについてピクセル毎の表示優先順位比較を行う表示処理回路の含む表示装置であって、
ＲＧＢデータの少なくとも１ビットを表示優先順位比較用に割り当てて、表示優先順位比較用ビットについて比較することを特徴とする。
【００２５】
表示優先順位情報を格納するレジスタが不要になるとともに表示優先順位比較に用いる比較ビットが少なくなり、表示優先順位比較処理に用いる表示処理回路の規模を小さくできる。
【００２６】
請求項６の発明は、請求項５記載の表示装置において、
前記表示画面を構成する複数系統のＲＧＢデータは、波形データと波形データ以外のデータであることを特徴とする。
【００２７】
請求項７の発明は、請求項６記載の表示装置において、
前記波形データは、複数チャネルであることを特徴とする。
【００２８】
請求項８の発明は、請求項６または請求項７記載の表示処理方法において、
前記波形データ以外のデータは、少なくともバックグラウンド、グリッド、テキスト、カーソルなどのいずれかであることを特徴とする。
【００２９】
これらにより、所望の測定チャネルのアナログ入力信号波形を優先的に表示させることができる。
【００３０】
【発明の実施の形態】
以下、本発明の実施の形態を図面に基づいて説明する。図１は本発明の実施の形態の一例を示す波形表示装置のブロック図であり、図４と共通する部分には同一の符号を付けている。図１と図４の異なる点は、グラフィックコントローラ６におけるＲＧＢデータの形態である。
【００３１】
すなわち、図４では全ビットが色指定ビットとして割り当てられているのに対し、図１ではグラフィックコントローラ６におけるＲＧＢデータの少なくとも１ビットを表示優先順位比較用に割り当てている。具体的には、色への影響が少ない下位のビットを表示優先順位比較用ビットとして使用する。
【００３２】
表示画面合成処理部５４は、画面合成にあたり、波形順位判定部５３から入力される波形データの順位とグラフィックコントローラ６から入力される表示優先順位比較用ビットのみを比較する。この表示優先順位比較用ビットが「０」の場合は波形データよりも表示優先順位が低いと判断して波形データを優先表示させるようにし、「１」の場合は波形データよりも表示優先順位が高いと判断してグラフィックコントローラ６から入力される波形データ以外のデータを優先表示させるように画面合成を行う。そして、グラフィックコントローラ６から入力される波形データ以外のデータを優先表示させる場合には、表示優先順位比較用ビットも含めたＲＧＢデータをＬＣＤドライバ８に出力する。
【００３３】
このような表示処理方法によれば、表示処理回路５内に、波形データと波形データ以外のＲＧＢデータとの表示優先順位情報を格納するためのレジスタが不要になり、表示処理回路５をＡＳＩＣで構成する場合に従来のレジスタ用に割り当てていたゲート数の消費を抑えられる。
そして、画面合成時の表示優先順位比較における比較ビットが例えば１ビットであることから、比較回路の規模を従来の全ビット比較に比べて格段に小さくすることができる。
【００３４】
このような表示処理方法に基づいて表示装置を構成することにより、表示装置の小型化および高速化が図れる。特に、複数チャネルのアナログ入力信号の波形測定装置に適用することにより、複数チャネルの波形とグリッドやカーソルやテキストなどが重なる場合に、迅速な表示処理が実現できる。
【００３５】
なお、ＲＧＢデータのビット数をより多く持たせておけば、ＲＧＢデータの最下位ビットを表示優先順位比較用として使用しても、ＬＣＤ表示色への影響がほとんどなくなる。例えば本実施例ではＲＧＢ各４ビットと定義しているが、６ビットにすると表示色の見た目の影響は４ビットの場合よりも小さくなる。
【００３６】
また、表示優先順位比較に使用するビットは１ビットのみなので、例えば図２に示すようにＲデータの最下位１ビットを優先度比較に使用したとすると、Ｇデータ、Ｂデータの最下位ビットを別の用途に使用できる。
【００３７】
具体的な用途としては、波形表示領域内にポップアップメニューを表示させるのにあたり、背景の波形が識別できるようにポップアップメニューを半透明化するように制御することが考えられる。
【００３８】
さらに他の用途として、波形とグリッドとカーソルとテキストとを重ね合わせて表示するのにあたり、これら画面構成要素の重ね合わせ順序を要素別に個別制御する場合にも有効である。
【００３９】
また、上記実施例では、ディスプレイがカラーＬＣＤの場合について説明したが、ＣＲＴやプラズマやＬＥＤなどにも適用できるものである。
【００４０】
【発明の効果】
以上説明したように、本発明によれば、比較的小規模の回路構成で、ピクセル毎の表示優先順位比較が比較的高速に行える表示処理方法および表示装置を提供することができ、デジタルオシロスコープをはじめとする各種の表示処理方法および表示装置に好適である。
【図面の簡単な説明】
【図１】本発明の実施の形態の一例を示すブッロク図である。
【図２】最下位ビットの使用例図である。
【図３】波形表示装置の従来例を示すブロック図である。
【図４】図３の主要部構成ブロック図である。
【符号の説明】
１  入力回路
２  Ａ／Ｄ変換器
３  データ処理回路
４  アクイジションメモリ
５  表示処理回路
５１  画像メモリ
５２  波形ＲＧＢデータ
５３  波形順位判定部
５４  表示画面合成処理部
６  グラフィックコントローラ
７  ＣＰＵ
８  ＬＣＤドライバ
９  カラーＬＣＤディスプレイ
【図１】
2004271778.tif 000003
【図２】
2004271778.tif 000004
【図３】
2004271778.tif 000005
【図４】
2004271778.tif 000006